(57)【要約】      （修正有）【課題】機械部品を非破壊で検査するためのオンデッキ方法およびシステムを提供する。【解決手段】機械部品３０は、発電電動機械またはターボ機械で用いるように構成される。システムは、赤外光を発光し受光するように構成された携帯型およびハンドヘルド型赤外線トランシーバ３１０と、赤外光をフィルタリングするように構成されたバンドパスフィルタ３２０と、を含む。結晶プローブ３４０は、機械部品と接触するように構成され、１つまたは複数のミラー３３０は、赤外光を結晶プローブ上へ導き、続いて赤外線トランシーバ／検出器に戻すように構成される。赤外線トランシーバは、検査結果の通知を出力するように構成された通知デバイス３５０と通信するように適合される。【選択図】図３
2016128808.tif 000002
【特許請求の範囲】
【請求項１】
機械部品（３０）を非破壊で検査するためのシステム（３００）であって、前記機械部品（３０）は、発電電動機械またはターボ機械で用いるように構成され、前記システム（３００）は、
赤外光を発光し受光するように構成された赤外線トランシーバ（３１０）と、
前記赤外光をフィルタリングするように構成されたバンドパスフィルタ（３２０、６１０、６２０、６３０、６４０）と、
前記機械部品（３０）に接触するように構成された結晶プローブ（３４０）と、
前記赤外光を前記結晶プローブ（３４０）上へ導き、続いて前記赤外線トランシーバ（３１０）に戻すように構成された１つまたは複数のミラー（３３０）と、を含み、
前記赤外線トランシーバ（３１０）は、検査結果の通知を出力するように構成された通知デバイス（３５０）と通信するように適合される、システム（３００）。
【請求項２】
前記赤外線トランシーバ（３１０）は、重水素化硫酸トリグリシン／臭化カリウム（ＤＴＧＳ／ＫＢｒ）型のトランシーバである、請求項１に記載のシステム（３００）。
【請求項３】
前記バンドパスフィルタ（３２０、６１０、６２０、６３０、６４０）は、
約９５２ｃｍ-1（１０．５μｍ）〜約１，３３３ｃｍ-1（７．５μｍ）、
約１，０５２ｃｍ-1（９．５μｍ）〜約１，２５０ｃｍ-1（８μｍ）、
約１，１４９ｃｍ-1（８．７μｍ）〜約１，２１９ｃｍ-1（８．２μｍ）、
約１，３３３ｃｍ-1（７．５μｍ）〜約１，５３８ｃｍ-1（６．５μｍ）、または
約１，３７５ｃｍ-1（７．３μｍ）〜約１，４７５ｃｍ-1（６．８μｍ）のうちの少なくとも１つのスペクトル応答を有する、請求項１に記載のシステム（３００）。
【請求項４】
前記システム（３００）は、ハンドヘルド型および携帯型として構成され、
前記システム（３００）は、前記発電電動機械または前記ターボ機械において、またはその近くで用いることができる、請求項１に記載のシステム（３００）。
【請求項５】
前記結晶プローブ（３４０）は、
ゲルマニウム、ダイヤモンド、臭沃化タリウム（ＫＲＳ−５）、塩化ナトリウム、またはセレン化亜鉛のうちの１つである、請求項１に記載のシステム（３００）。
【請求項６】
前記通知デバイス（３５０）は、
前記検査結果が示されるディスプレイ（３５１）、
または、前記検査結果が可聴音として発せられるスピーカ（３５２）の少なくとも一方である、請求項１に記載のシステム（３００）。
【請求項７】
前記機械部品（３０）は、
Ｏリング（７１０、７１２）、ガスケット（７２０）、またはシールプレート（７２０）のうちの１つである、請求項１に記載のシステム（３００）。
【請求項８】
前記システム（３００）は、
バンドパスフィルタホルダ（６００）を含み、前記フィルタホルダ（６００）は、各バンドパスフィルタ（３２０、６１０、６２０、６３０、６４０）が異なるスペクトル応答を有する複数のバンドパスフィルタ（３２０、６１０、６２０、６３０、６４０）を保持するように構成される、請求項１に記載のシステム（３００）。
【請求項９】
機械部品（３０）を検査するための、オンデッキの携帯型およびハンドヘルド型システム（３００）であって、前記機械部品（３０）は、発電電動機械またはターボ機械で用いるように構成され、前記システム（３００）は、
赤外光を発光し受光するように構成され、重水素化硫酸トリグリシン／臭化カリウム（ＤＴＧＳ／ＫＢｒ）型のトランシーバである赤外線トランシーバ（３１０）と、
前記赤外光をフィルタリングするように構成されたバンドパスフィルタ（３２０、６１０、６２０、６３０、６４０）と、
前記機械部品（３０）に接触するように構成され、ゲルマニウム、ダイヤモンド、臭沃化タリウム（ＫＲＳ−５）、塩化ナトリウム、またはセレン化亜鉛のうちの１つである結晶プローブ（３４０）と、
前記赤外光を前記結晶プローブ（３４０）上へ導き、続いて前記赤外線トランシーバ（３１０）に戻すように構成された１つまたは複数のミラー（３３０）と、を含み、
前記赤外線トランシーバ（３１０）は、検査結果の通知を出力するように構成された通知デバイス（３５０）と通信するように適合され、
前記通知デバイス（３５０）は、前記検査結果が示されるディスプレイ（３５１）であり、または、前記通知デバイス（３５０）は、前記検査結果が可聴音として発せられるスピーカ（３５２）であり、
前記システム（３００）は、前記検査を実行し、前記発電電動機械または前記ターボ機械において、またはその近くで前記検査結果を提供するように構成される、システム（３００）。
【請求項１０】
前記バンドパスフィルタ（３２０、６１０、６２０、６３０、６４０）は、
約９５２ｃｍ-1（１０．５μｍ）〜約１，３３３ｃｍ-1（７．５μｍ）、
約１，０５２ｃｍ-1（９．５μｍ）〜約１，２５０ｃｍ-1（８μｍ）、
約１，１４９ｃｍ-1（８．７μｍ）〜約１，２１９ｃｍ-1（８．２μｍ）、
約１，３３３ｃｍ-1（７．５μｍ）〜約１，５３８ｃｍ-1（６．５μｍ）、または
約１，３７５ｃｍ-1（７．３μｍ）〜約１，４７５ｃｍ-1（６．８μｍ）のうちの少なくとも１つのスペクトル応答を有する、請求項９に記載のシステム（３００）。
【請求項１１】
各フィルタが異なるスペクトル応答を有する複数のバンドパスフィルタ（３２０、６１０、６２０、６３０、６４０）を保持するように構成されたバンドパスフィルタホルダ（６００）をさらに含み、
各フィルタは、特定のバンドパスフィルタ範囲を識別する識別標識を含む、請求項１０に記載のシステム（３００）。
【請求項１２】
機械部品（３０）を非破壊で検査するための方法（４００）であって、前記機械部品（３０）は、発電電動機械またはターボ機械で用いるように構成され、前記方法（４００）は、
赤外線分光計（３００）により前記機械部品（３０）を走査するステップ（４１０）であって、前記赤外線分光計（３００）は、赤外光を発光し受光するように構成された赤外線トランシーバ（３１０）と、前記機械部品（３０）に接触するように構成された結晶プローブ（３４０）と、前記赤外光を前記結晶プローブ（３４０）上へ導き、続いて前記赤外線トランシーバ（３１０）に戻すように構成された１つまたは複数のミラー（３３０）と、を含む、ステップ（４１０）と、
バンドパスフィルタ（３２０、６１０、６２０、６３０、６４０）により前記赤外光をフィルタリングするステップ（４２０）と、
前記赤外光のスペクトルを基準スペクトルと比較するステップ（４３０）と、
検査結果の通知を通知デバイス（３５０）に出力するステップ（４４０）と、を含む方法（４００）。
【請求項１３】
前記方法（４００）は、前記発電電動機械または前記ターボ機械の位置で、またはその近くで実行される、請求項１２に記載の方法（４００）。
【請求項１４】
前記機械部品（３０）は、
Ｏリング（７１０、７１２）、ガスケット（７２０）、またはシールプレート（７２０）のうちの１つである、請求項１３に記載の方法（４００）。
【請求項１５】
前記赤外線トランシーバ（３１０）は、重水素化硫酸トリグリシン／臭化カリウム（ＤＴＧＳ／ＫＢｒ）型のトランシーバである、請求項１２に記載の方法（４００）。
【請求項１６】
前記フィルタリングするステップ（４２０）は、約９５２ｃｍ-1（１０．５μｍ）〜約１，３３３ｃｍ-1（７．５μｍ）のスペクトル応答を有する前記バンドパスフィルタ（３２０、６１０、６２０、６３０、６４０）によりフィルタリングするステップ（４２０）を含む、請求項１２に記載の方法（４００）。
【請求項１７】
前記フィルタリングするステップ（４２０）は、約１，０５２ｃｍ-1（９．５μｍ）〜約１，２５０ｃｍ-1（８μｍ）、または約１，１４９ｃｍ-1（８．７μｍ）〜約１，２１９ｃｍ-1（８．２μｍ）のスペクトル応答を有する前記バンドパスフィルタ（３２０、６１０、６２０、６３０、６４０）によりフィルタリングするステップ（４２０）を含む、請求項１２に記載の方法（４００）。
【請求項１８】
前記フィルタリングするステップ（４２０）は、約１，３３３ｃｍ-1（７．５μｍ）〜約１，５３８ｃｍ-1（６．５μｍ）、または約１，３７５ｃｍ-1（７．３μｍ）〜約１，４７５ｃｍ-1（６．８μｍ）のスペクトル応答を有する前記バンドパスフィルタ（３２０、６１０、６２０、６３０、６４０）によりフィルタリングするステップ（４２０）を含む、請求項１２に記載の方法（４００）。
【請求項１９】
前記結晶プローブ（３４０）は、
ゲルマニウム、ダイヤモンド、臭沃化タリウム（ＫＲＳ−５）、塩化ナトリウム、またはセレン化亜鉛のうちの１つである、請求項１２に記載の方法（４００）。
【請求項２０】
前記通知デバイス（３５０）は、
前記検査結果が示されるディスプレイ（３５１）、または、
前記検査結果が可聴音として発せられるスピーカ（３５２）の少なくとも一方である、請求項１２に記載の方法（４００）。
【発明の詳細な説明】
【技術分野】
【０００１】
本明細書で開示する主題は、一般的には、部品の検査に関し、より具体的には、発電電動機械およびターボ機械で使用される部品のオンサイトまたはオンデッキ検査および検証に関する。
【背景技術】
【０００２】
大型発電機は一般に、低密度ガスにより冷却される。水素（Ｈ2）は、他の冷却ガスの選択肢と比較して、低い風摩擦、高い放熱能力、およびコロナ放電に対する高い耐性を含む、望ましい熱物理学的特性により、冷却剤として広く用いられている。さらに、Ｈ2は、容易に利用可能で、かつ安価であるという利点を有している。
【０００３】
Ｈ2の漏れは、発電機の効率的な動作を妨げるおそれがあり、場合によっては発電停止を引き起こすことがあり得る。発電機の周囲でＨ2漏れが起こる可能性のある領域としては、高電圧ブッシング、シールプレート、Ｏリング、ガスケット、およびパイプフランジを含むステータケーシングのフランジ継手がある。漏れは、冷却器、溶接、ボルト頭部、および端部シールドの界面の周囲で起こる場合もある。外端部シールドの軸受エンクロージャ、ロータ端子パッキング、集電体アセンブリ、ならびに計測配線貫通のために作られたパッキング押えもまた、漏れの影響を受けやすい。気密遷移および溶接継手は、シールオイル排出システム、ガス配管、水素キャビネットと同様に、漏れの発生源になり得る。発電機が水冷式発電機であれば、ステータ液冷式巻線も漏れの発生源になり得る。
【０００４】
現代の発電電動機械（たとえばモータおよび発電機）およびターボ機械（たとえば、ガスまたは蒸気タービン）は、多くの部品を使用し、これらの部品は、多くの異なる販売業者または製造業者から入手することができる。部品は、タービンデッキに出荷され、製造時や故障修理時におけるそれぞれの設置のために待ち行列に配置される。部品は、図面、仕様書、および部品番号によって識別される。理論的には、誤った部品が導入され使用される可能性は低くあるべきであるが、実際には誤った部品が使用される。発電機のシール組立体は、水素ガス漏れまたは液漏れを防ぐＯリング、ガスケット、および他の非金属部品もしくは構成要素から構成されているので、特に問題となる。部品の目視検査（たとえば、肉眼による）は、特定の部品が厳密な工学的基準を満たしているかどうかを決定するためには不十分であることが多い。たとえば、ＯＥＭ仕様に作られたＯリングは、厳密には低品質で標準以下のＯリングのように「見える」場合がある。部品（Ｏリングなど）の特定の材料およびコーティングは、高度に設計された電力機器の性能および水素ガス漏れ防止とって重要である。たとえば、標準以下のＯリングは１年または２年のうちに故障する可能性があるが、ＯＥＭ仕様に作られたＯリングは２０年以上持ちこたえる。これらのＯリングは、どちらも同じように「見える」が、これらは、（その構成材料の違いにより）全く異なる性能を発揮する。標準以下のＯリングは、発電電動機械において通常受ける高温および／または高圧では満足に機能しない。
【０００５】
既存の破壊試験方法は、部品の材料を解析することができるが、それらは部品を永久に損傷し、使用不能にする。今日まで、対象となる機械部品、特に発電機のシール組立体を検証および検査するために利用可能な、迅速なその場の、オンサイト（またはオンデッキ）の非破壊方法およびシステムは存在しない。
【先行技術文献】
【特許文献】
【０００６】
【特許文献１】米国特許第７７９３８５０号明細書
【発明の概要】
【０００７】
本発明の一態様によれば、機械部品を非破壊で検査するためのシステムが提供される。機械部品は、発電電動機械またはターボ機械で用いるように構成される。システムは、赤外光を発光し受光するように構成された携帯型およびハンドヘルド型赤外線トランシーバと、赤外光をフィルタリングするように構成されたバンドパスフィルタと、を含む。結晶プローブは、機械部品と接触するように構成され、１つまたは複数のミラーは、赤外光を結晶プローブ上へ導き、続いて赤外線トランシーバ／検出器に戻すように構成される。赤外線トランシーバは、検査結果の通知を出力するように構成された通知デバイスと通信するように適合される。システムは、オンデッキで使用することができる。
【０００８】
別の態様では、機械部品を検査するためのオンデッキの携帯型およびハンドヘルド型システムが提供される。機械部品は、発電電動機械またはターボ機械で用いるように構成される。システムは、赤外光を発光し受光するように構成された赤外線トランシーバを含み、赤外線トランシーバは、重水素化硫酸トリグリシン／臭化カリウム（ＤＴＧＳ／ＫＢｒ）型のトランシーバ／検出器である。バンドパスフィルタは、赤外光をフィルタリングするように構成される。結晶プローブは、機械部品に接触するように構成され、結晶プローブは、ゲルマニウム、ダイヤモンド、臭沃化タリウム（ＫＲＳ−５）、塩化ナトリウム、またはセレン化亜鉛のうちの１つから構成される。１つまたは複数のミラーは、赤外光を結晶プローブ上へ導き、続いて赤外線トランシーバに戻すように構成される。赤外線トランシーバは、検査結果の通知を出力するように構成された通知デバイスと通信するように適合される。通知デバイスはディスプレイの１つであり、検査結果がディスプレイに示され、または、通知デバイスはスピーカであり、検査結果がスピーカによって可聴音として発せられる。システムは、非破壊検査を行い、発電電動機械またはターボ機械において、またはその近くで検査結果を提供するように構成される。
【０００９】
さらに別の態様では、機械部品を非破壊で検査するための方法が提供される。機械部品は、発電電動機械またはターボ機械で用いるように構成される。本方法は、赤外線分光計により機械部品を走査するステップを含む。赤外線分光計は、赤外光を発光し受光／検出するように構成された赤外線トランシーバを含む。結晶プローブは、機械部品に非破壊的に接触するように構成される。１つまたは複数のミラーは、赤外光を結晶プローブ上へ導き、続いて赤外線トランシーバに戻すように構成される。フィルタリングするステップは、バンドパスフィルタにより赤外光をフィルタリングする。比較するステップは、赤外光のスペクトルを基準スペクトルと比較する。出力するステップは、検査結果の通知を通知デバイスに出力する。本方法は、発電電動機械またはターボ機械の位置で、またはその近くで実行される。たとえば、本方法は、迅速で即時に検査結果を得るために、オンデッキで、または機械位置で実行することができる。
【００１０】
本発明の他の特徴および効果は、たとえば、本発明の特定の態様の原理を図示する添付の図面と合わせて、好適な実施形態についての以下のより詳細な説明から明らかになろう。
【図面の簡単な説明】
【００１１】
【図１】タービンおよび発電機システムの模式図である。
【図２】仕様通りのフルオロエラストマおよび標準以下のゴム製品の吸収スペクトルのチャートである。
【図３】本発明の一態様による、機械部品を検査するためのシステムの模式図である。
【図４】本発明の一態様による、機械部品を検査するための方法のフローチャートである。
【図５】本発明の一態様による、検査結果の通知を出力するために用いられる通知デバイスの模式図である。
【図６】本発明の一態様による、バンドパスフィルタホルダの端面図である。
【図７】水素冷却式発電機の集電体端部シール組立体の端面図である。
【発明を実施するための形態】
【００１２】
本開示の態様は、全反射減衰プローブにより短時間で１つのスペクトル画像を走査することができる非破壊のハンドヘルド型フィルタ処理赤外線分光計を用いた、機械部品のオンデッキ検査のためのシステムおよび方法を含む。
【００１３】
発電電動機械は、構造、またはシールもしくは電気絶縁目的のいずれかのための様々な非金属材料／構成要素を含んでいる。いくつかの重要な構成要素またはサブシステムのオンサイト検査は、製造現場だけではなく、部品、構成要素、サブシステム、または組立体が交換されるオンデッキ故障修理にとっても、特に価値がある。非金属材料は事実上ほとんど硬質の熱硬化性樹脂であるが、フルオロエラストマはまた、優れた耐薬品性および耐熱性およびシール性能を有しているので用いられており、このために、これらの特性が必要とされる用途に指定されている。１つのこのようなフルオロエラストマは、バイトン（登録商標）（イーアイデュポンドヌムールアンドカンパニーの登録商標）である。これらの材料は、シール、Ｏリング、ガスケット、および他の構成要素として発電産業で使用されている。シールとして発電産業において有用な他の材料は、ガラスエポキシ積層板（たとえば、Ｇ−１１）およびニトリルである。特定のフルオロカーボンエラストマ組成物の特性は、いくつかの要因に依存し、これらは、それらの製造に使用されるモノマー類および硬化剤を含む。これらのエラストマの配合、特性、および性能の間の関係のために、要求される配合のフルオロエラストマを特定の用途で用いることを確実にすることが重要である。特定のエラストマが使用できなくなるか、または交換する必要がある場合には、適正なエラストマ（または材料）が使用されていたこと、および、故障したエラストマ／材料を交換するために適正なエラストマ（または材料）が使用されることを確かめることも重要である。これを可能にするために、本発明の一実施形態は、機械に取り付ける前にフルオロエラストマ（または他の材料）の種類を確認することができるオンサイト（オンデッキ）検査ツールとして使用するための携帯型でハンドヘルド型の赤外分光装置を提供することにある。
【００１４】
図１は、タービンおよび発電機システムの模式図である。ガスタービン１０は、圧縮機１２とタービン部１４とを含む。ガスタービン１０はまた、蒸気タービンと置き換えることができる。タービン１０は、シャフト１６によって発電機１８に接続される。本実施例では、タービン１０は発電機１８を駆動する。発電機１８は、水素冷却式発電機とすることができ、したがって、発電機１８は、水素漏れを防ぐために多くのシールおよびシールする構成要素を含む。これらのシールおよびシール組立体は、限定はしないが、Ｏリング、ガスケット、およびシールプレートを含むことができる。発電機の集電体端部は、典型的に多くのシール位置を含み、したがって、シール構成要素が故障した場合には多くの潜在的な漏れ位置を含む、集電体１９を有する。
【００１５】
実用規模の発電機、特に水素冷却式発電機では、機械が受ける温度および圧力は、高性能のシール構成要素を必要とする。単なる例として、シールＯリングはバイトン（登録商標）などのフルオロエラストマで構成することができ、シールプレートはＧ−１１などのガラスエポキシ積層板で構成することができる。これらの材料は共に、発電機１８の高温および高圧に耐える物理的特性を有している。さらに、これらの材料は、長期間（たとえば、２０〜３０年）にわたって満足に機能する。
【００１６】
残念なことに、複雑な機械では、構成要素は、様々な製造業者および供給業者から調達される場合が多い。これは、劣った部品がサプライチェインにこっそり入る機会を生成する。材料が（少なくとも性能の観点から）大幅に異なっている場合であっても、１つのＯリングは別のＯリングに非常によく似ている。たとえば、標準以下のＯリングは、バイトン（登録商標）のＯリングと（肉眼では）同じに見える。しかし、それらの材料組成は異なり、それぞれの性能が大幅に異なる。標準以下のＯリング（安価なゴムで作られる）は、発電用途では１年または２年の間しか機能しないおそれがある。バイトン（登録商標）（またはフルオロエラストマ）のＯリングは、交換を要するまで１０〜２０年にわたって持ちこたえる。機械（たとえば、発電機１８）に取り付けられる前に、標準以下の部品を識別する（および／または仕様通りの部品を検査する）ことが課題である。好ましくは、組み立ておよび修理の遅延を最小化するために、これは、機械の組み立てまたは修理中にオンサイト（またはオンデッキ）で行われる。
【００１７】
図７は、水素冷却式発電機の集電体端部シール組立体７００の端面図である。シール組立体７００は、１つまたは複数の外側Ｏリング７１０、内側Ｏリング７１２、およびシールプレートもしくはガスケット７２０を含むことができる。冷却パイプまたは導管７３０は、シール組立体を貫通して延びる。いくつかの用途では、Ｏリング７１０、７１２は、バイトン（登録商標）製であると指定されており、シールプレート／ガスケット７２０は、Ｇ−１１製であると指定されている。これらは、単なる２つの例にすぎず、これらの部品は、特定の用途で必要に応じて、他の材料を用いることができる。これらの部品のいずれかが故障した場合には、水素が発電機の外へ漏れることがあり得る。これが十分な量で起こった場合には、重大な問題が生じるおそれがあり、少なくともオペレータが水素を無駄にすることになる。水素の使用の増加が漏れを知らせて、これが停止を要求し、これによって、発電機が停止する（少なくとも漏れが修復されるまで）。
【００１８】
図２は、バイトン（登録商標）などのフルオロエラストマおよび標準以下のゴム製品の吸収スペクトルのチャートである。チャートから分かるように、バイトン（登録商標）スペクトル２０は、約１，４００ｃｍ-1〜４，０００ｃｍ-1（すなわち２．５μｍ〜７．１μｍ）の波数範囲では、ゴムスペクトル２２にいくぶん類似している。しかし、約９５２ｃｍ-1〜１，３３３ｃｍ-1（すなわち７．５μｍ〜１０．５μｍ）の波数範囲では、２つのスペクトルの吸収度ピークに明確な違いがある。バイトン（登録商標）スペクトル２０は、約１，１７５ｃｍ-1（すなわち８．５μｍ）に明確なピークを有する。ゴムスペクトル２２は、約１，０００ｃｍ-1（すなわち１０μｍ）に明確なピークを有する。２つの製品を区別するために、これら２つのスペクトルを比較することができる。バイトン（登録商標）スペクトル２０はまた、基準として記憶しておき、検査対象物を検査または検証する（たとえば、未知のＯリングがバイトン（登録商標）製であるか、望ましくない不良品であるかを検証する）ための後に続く検査で用いることができる。
【００１９】
図３は、本発明の一態様による、機械部品を検査するためのシステム３００の模式図である。機械部品３０（たとえばＯリング）は、それが有効な（仕様通りの）部品であるか、有効でない（仕様外の）部品であるかを決定するために検査される。本実施例では、Ｏリングは、バイトン（登録商標）材料で作られるべきであって、この材料は、図２の線２０による吸収スペクトルを有する。仕様外の（バイトン（登録商標）製でない）部品は、図２の線２２と同様の吸収度スペクトルを有することができる。システム３００は、携帯型および／またはハンドヘルド型の赤外分光スキャナの形態をとることができ、それは全反射減衰（ＡＴＲ）型分光計であってもよい。本体３０１は、赤外光を発光し受光するように構成された赤外線トランシーバ３１０を収容することができる。赤外線トランシーバ／検出器３１０は、赤外レーザアクセサリまたは他の任意の適切な中間／中赤外波長（たとえば、２．５μｍ〜２５μｍ）の赤外デバイスを有する非冷却重水素化硫酸トリグリシン／臭化カリウム（ＤＴＧＳ／ＫＢｒ）型赤外線検出器／送信器であってもよい。
【００２０】
１つまたは複数のミラー３３０は、結晶プローブ３４０上に赤外光を導くように構成される。たとえば、結晶プローブ３４０は、プローブ３４０または部品３０のどちらにも損傷を与えずに、取り付けられる部品３０と接触することができる、ダイヤモンドプローブであってもよい。赤外光は、１回または複数回反射して、プローブ３４０を出る。それから、赤外光は、ミラー３３０によりトランシーバ３１０に戻るように導かれる。受光した赤外光は、参照標準と比較することができる信号（またはスペクトル、またはスペクトル画像／パターン）に変換される。スペクトルまたは得られたスペクトル画像は、通知デバイス３５０に送信される。プローブ３４０が部品３０に接触している時間は、約１秒〜約１６秒であり、あるいは他の任意の適切な時間であってもよい。接触領域は、約１ｍｍ〜約５ｍｍ（直径０．０４インチ〜０．２インチ）であってもよく、あるいは他の任意の適切な接触領域であってもよい。部品の接触表面は、「そのまま」であってもよいし、あるいは、可能性のあるシリコーンオイルまたは部品上にあるかもしれない他の保存オイル／薬剤を除去するために、接触領域を洗浄剤（たとえば、イソプロピルアルコール）で拭いてもよい。発電機１８の場所で、またはその近くで、システムを使用して、検査を行うことができる。これによって、部品を取り付けているときに、部品を（オンサイトまたはオンデッキで）検査することができる。
【００２１】
検査サンプルの受信したスペクトルをさらに区別するために、赤外光がフィルタ３２０を通過するように、バンドパスフィルタ３２０を光路中に配置することができる。バンドパスフィルタ３２０は、ホルダ６００に装着することができ、ホルダ６００は異なるバンドパス範囲を有する複数のフィルタ６１０、６２０、６３０、６４０を格納することができる。カルーセル型ホルダでは、時計回りの回転が特定の部品に対する次のバンドパスフィルタを選択する。バンドパスフィルタ３２０は、赤外光がフィルタ３２０を通過する限り、本体３０１内の、またはその上の任意の適切な場所に取り付けることができる。
【００２２】
バンドパスフィルタ３２０は、バイトン（登録商標）シールの唯一の特性赤外吸収帯である、約９５２ｃｍ-1〜約１，３３３ｃｍ-1（すなわち７．５μｍ〜１０．５μｍ）、または約１，０５２ｃｍ-1〜約１，２５０ｃｍ-1（すなわち８μｍ〜９．５μｍ）、または約１，１４９ｃｍ-1〜約１，２１９ｃｍ-1（８．２μｍ〜８．７μｍ）のスペクトル範囲または応答を有することができる。他のバンドパス範囲を有するフィルタ３２０を使用し、識別／検査しようとする他の任意の材料の最も特徴的な赤外吸収帯を識別するために必要に応じて装着することができることを理解されたい。
【００２３】
バンドパスフィルタ３２０は、バイトン（登録商標）スペクトル２０の高いコントラスト（または強度）信号に集中することによって、他の通常存在する材料または分子からの干渉を取り除く。図示して説明した実施例は、バイトン（登録商標）およびゴムについて説明しているが、ガラスエポキシ積層板（たとえば、Ｇ−１１）、ニトリル、あるいは発電電動機械もしくはターボ機械の構成要素、部品、アセンブリ、またはサブシステムの主要な構成要素として使用される他の任意の具体的な材料などの、任意の所望の好適な材料を解析することができる。
【００２４】
通知デバイス３５０は、小型パーソナルコンピュータ（ＰＣ；ＩＢＭ互換、アップル互換、アンドロイドまたはその他）、ラップトップ、ネットブック、タブレット、スマートフォン、ワークステーション、ミニコンピュータ、または他の任意の適切なコンピュータもしくは表示デバイスなどの、専用または汎用のデジタルコンピュータであってもよい。通知デバイス３５０は、トランシーバ３１０から画像データを受信し、リアルタイムで、またはほぼリアルタイムで、ディスプレイ３５１に表示／指示することができる。テキストメッセージ（または画像またはビデオまたはアラーム）または信号を、有効な部品または無効な部品を示すスマートフォン、タブレット、またはコンピュータに送信することができる。検査結果を、パス／フェイル、ゴー／ノーゴー、または他の適切な結果として表示することができる。検査または検証結果の信号はまた、遠隔またはローカル監視サイトに送信することができる。通知デバイス３５０はまた、検証または検査結果に関する警告または通知を表示してもよい。検査結果は、通知デバイス３５０に関係するスピーカ３５２から出力される／発せられる可聴音または振動信号（たとえば、ビープ音、ブザーまたはサイレン）であってもよい。たとえば、パス結果はビープ音によって示すことができ、フェイル結果は２回のブザーまたは異なる音響音によって示すことができる。別の実施例として、通知デバイス３５０は、バイトン（登録商標）製Ｏリングが検出された場合は「パス」を表示し、バイトン（登録商標）製でない、またはゴム製のＯリングが検出された場合に「フェイル」を表示するディスプレイであってもよい。
【００２５】
全反射減衰法（ＡＴＲ）は、試料を固体状態で直接測定することができる赤外分光法と併せて使用されるサンプリング技術である。取り付けられる部品、構成要素、またはアセンブリに接触すると、赤外光は高屈折率の結晶プローブ３４０内で複数の内部反射を受ける。機械部品３０は、結晶プローブ３４０に接触している。光のビームは、機械部品３０に接触する内部表面から少なくとも１回反射するように、結晶プローブ３４０を通過する。この反射は、機械部品３０内に延在するエバネッセント波を形成する。機械部品３０内への侵入深さは、０．５と１０との間とすることができ、正確な値は、光の波長、入射角、結晶プローブ３４０の屈折率、プロービング対象の媒体、および現在検査されている部品との接触によって決定される。反射の回数は、入射角を変化させることによって変化させることができる。赤外光は、結晶プローブ３４０から出た後、検出器３１０によって集められる。結晶が検査する試料よりも高い屈折率の光学材料で形成されている場合でないと、このエバネッセント効果は機能しない。そうでないと、光が試料に失われる。固体の機械部品の場合には、機械部品３０は、結晶プローブ３４０と直接接触するように圧入される。結晶プローブ３４０は、ゲルマニウム、ダイヤモンド、臭沃化タリウム、塩化ナトリウム、またはセレン化亜鉛のうちの１つから構成することができる。ダイヤモンドの優れた機械的性質は、ダイヤモンドをＡＴＲ結晶プローブのための理想的な材料にしているが、そのコストはゲルマニウムよりも高くなり得る。フルオロエラストマに対しては、ダイヤモンドまたはゲルマニウムのプローブ３４０が推奨されるであろう。結晶プローブ３４０の形状は、分光計の種類や試料の性質に依存する。分散分光計では、結晶プローブは、面取りされた縁を有する矩形のスラブとすることができる。しかし、結晶プローブ３４０は、プリズム、円筒、半球、または薄いシートからなる形状を有してもよい。
【００２６】
システム３００は、ハンドヘルド型もしくは携帯型の赤外線分光計の形をとることができる。この赤外線分光計は、有線または無線リンクにより通知デバイス３５０に接続することができる。有線リンクは、ＵＳＢ接続、シリアルもしくはパラレルコネクタ／ケーブル、ビデオケーブル、または他の任意の適切な有線接続であってもよい。無線リンクは、Ｂｌｕｅｔｏｏｔｈ（登録商標）、Ｗｉ−Ｆｉ、無線周波数、または他の任意の適切な無線通信システム／インターフェースを含むことができる。
【００２７】
図４は、本発明の一態様による、機械部品のオンサイトまたはオンデッキ検査のための方法４００のフローチャートである。機械部品は、発電電動機械またはターボ機械、あるいは他の任意の好適な機械で用いることができる。たとえば、機械部品は、Ｏリング、ガスケット、またはシールプレートであってもよい。方法４００は、携帯型／ハンドヘルド型赤外線分光計３００を用いて機械部品３０を走査するステップ４１０を含む。携帯型および／またはハンドヘルド型赤外線分光計３００は、赤外光を発光し受光するように構成された赤外線トランシーバ３１０を含む。赤外線トランシーバ３１０は、重水素化硫酸トリグリシン／臭化カリウム（ＤＴＧＳ／ＫＢｒ）型のトランシーバであってもよい。結晶プローブ３４０は、機械部品３０に接触するように構成される。結晶プローブ３４０は、ゲルマニウム、ダイヤモンド、臭沃化タリウム、塩化ナトリウム、またはセレン化亜鉛から構成することができる。ゲルマニウムまたはダイヤモンドのプローブが好ましいが、用途に応じて、他の種類でも同様に機能する。１つまたは複数のミラー３３０は、赤外光を結晶プローブ３４０上へ導き、続いて赤外線トランシーバ３１０に戻すように構成される。
【００２８】
フィルタリングするステップ４２０は、バンドパスフィルタ３２０により赤外光をフィルタリングする。フィルタリングするステップ４２０は、約９５２ｃｍ-1（１０．５μｍ）〜約１，３３３ｃｍ-1（７．５μｍ）、または約１，０５２ｃｍ-1（９．５μｍ）〜約１，２５０ｃｍ-1（８μｍ）、または約８．２μｍ（１，２１９ｃｍ-1）〜約８．７μｍ（１，１４９ｃｍ-1）のスペクトル応答を有するバンドパスフィルタにより放射をフィルタリングすることを含む。比較するステップ４３０は、受信した赤外光のスペクトルを基準スペクトルと比較する。２つのスペクトルの間の一致は肯定的な検査結果（たとえば、パスまたはゴー）をもたらし、不一致は否定的な検査結果（たとえば、フェイル、ノーゴー）をもたらす。バイトン（登録商標）の例では、基準スペクトルは正規のバイトン（登録商標）製部品のスペクトルであり、これは、バイトン（登録商標）製であるべき部品を走査／検査する際に使用される。出力するステップ４４０は、検査結果の通知を通知デバイスに出力する。通知デバイスはディスプレイであってもよく、検査結果がディスプレイに示され、あるいは、通知デバイスはスピーカであってもよく、検査結果がスピーカによって可聴音として発せられる。方法４００は、発電電動機械またはターボ機械の位置で、またはその近くで実行することができる。これによって、部品を取り付けているときに部品を検査することができ、より高速な修理、サービスおよび組み立てを行うことができる。さらに、（適正な部品が取り付けられるので）予期せぬ機械の停止が低減され、これにより発電をより経済的かつ効率的にする。
【００２９】
赤外線分光計３００または通知デバイス３５０は、解析し、決定し、検査結果を出力するために必要なハードウェア／ソフトウェアを含むことができる。有効な部品のスペクトルは、後で検査対象と比較するためにメモリに記憶することができる。有効な部品のスペクトルと検査対象のスペクトルとの一致は、有効な部品および肯定的な検査結果を示す。逆に、検査対象のスペクトルが有効な部品のスペクトルと（所定の許容誤差内で）一致しない場合には、否定的な検査結果が生成される。単に１つの実施例として、本発明の通知デバイス３５０（および／または赤外線分光計３００の一部分）は、ソフトウェア（たとえば、ファームウェア）、ハードウェア、またはこれらの組み合わせで実現することができる。現在考えられる最良の形態において、通知デバイス３５０は、実行可能プログラムとしてソフトウェアで少なくとも部分的に実現され、パーソナルコンピュータ（ＰＣ；ＩＢＭ互換、アップル互換、またはその他）、ラップトップ、タブレット、スマートフォン、ワークステーション、ミニコンピュータ、またはメインフレームコンピュータなどの、専用または汎用のデジタルコンピュータにより実行される。本発明の通知デバイス３５０を実現することができる汎用コンピュータの一例を図５に示す。
【００３０】
一般的に、ハードウェアアーキテクチャに関しては、図５に示すように、通知デバイス３５０は、ローカルインターフェース５４０を介して通信可能に結合された、プロセッサ５１０、メモリ５２０、ならびに１つもしくは複数の入力および／または出力（Ｉ／Ｏ）デバイス５３０（または周辺装置）を含む。ローカルインターフェース５４０は、たとえば、これに限定されないが、当該技術分野で知られているように、１つもしくは複数のバス、または他の有線もしくは無線接続とすることができる。ローカルインターフェース５４０は、コントローラ、バッファ（キャッシュ）、ドライバ、リピータ、および受信器などの、通信を可能にする付加的な要素を有することができ、それは簡略化するために省略される。さらに、ローカルインターフェースは、前述の構成要素間の適切な通信を可能にするアドレス、制御、および／またはデータ接続を含むことができる。
【００３１】
プロセッサ５１０は、特にメモリ５２０に記憶されているソフトウェアを実行するためのハードウェア装置である。プロセッサ５１０は、任意の特注または市販のプロセッサ、中央処理装置（ＣＰＵ）、通知デバイス３５０に関連するいくつかのプロセッサのうちの補助プロセッサ、半導体ベースのマイクロプロセッサ（マイクロチップまたはチップセットの形態）、マクロプロセッサ、あるいは、ソフトウェア命令を実行するための任意の装置であってもよい。好適な市販のマイクロプロセッサの例は、以下の通りである。すなわち、３２もしくは６４ビットアーキテクチャを有するアップルのＡ７もしくはＡ８チップ、Ａｔｏｍ  Ｚ２５８０  Ｃｌｏｖｅｒ  Ｔｒａｉｌ＋、インテル社のｉ５もしくはｉ７シリーズマイクロプロセッサ、またはモトローラ社の８コアＸ８チップセットである。
【００３２】
メモリ５２０は、揮発性メモリ素子（たとえば、ランダムアクセスメモリ（ＤＲＡＭ、ＳＲＡＭ、ＳＤＲＡＭなどのＲＡＭ））および不揮発性メモリ素子（たとえば、ＲＯＭ、ハードドライブ、テープ、ＣＤＲＯＭなど）の任意の１つまたは組み合わせを含むことができる。さらに、メモリ５２０は、電子的、磁気的、光学的、および／または他の種類の記憶媒体を組み込むことができる。なお、メモリ５２０は、分散アーキテクチャを有することができ、この場合には、様々な構成要素が互いに離れて位置しているが、プロセッサ５１０によりアクセスすることができる。
【００３３】
メモリ５２０内のソフトウェアは、１つまたは複数の別個のプログラムを含むことができ、その各々は、論理機能を実現するための実行可能命令の順序付きリストを含むことができる。メモリ５２０内のソフトウェアは、本発明によるスペクトル比較器システム５６０、および好適なオペレーティングシステム（Ｏ／Ｓ）５５０を含むことができる。好適な市販のオペレーティングシステム５５０の例の非網羅的なリストは、以下の通りである。すなわち、（ａ）マイクロソフト社から入手可能なＷｉｎｄｏｗｓ（登録商標）オペレーティングシステム、（ｂ）ノベル社から入手可能なネットウェアオペレーティングシステム、（ｃ）アップルコンピュータ社から入手可能なマッキントッシュ、ｉＰｈｏｎｅ、またはｉＰａｄオペレーティングシステム、（ｅ）ヒューレットパッカード社、サンマイクロシステムズ社、およびＡＴ＆Ｔ社などの多くのベンダーから購入可能なＵＮＩＸ（登録商標）オペレーティングシステム、（ｄ）インターネットで容易に入手可能なフリーウェアであるＬＩＮＵＸ(登録商標）オペレーティングシステム、（ｅ）ウインドリバーシステムズ社のランタイムＶｘＷｏｒｋｓオペレーティングシステム、あるいは（ｆ）スマートフォン、タブレット、ハンドヘルドコンピュータ、または携帯情報端末（ＰＤＡ）などに実装されるアプライアンスベースのオペレーティングシステムである。オペレーティングシステム５５０は、スペクトル比較器システム５６０などの他のコンピュータプログラムの実行を本質的に制御し、スケジューリング、入出力制御、ファイルおよびデータ管理、メモリ管理、ならびに通信制御および関連サービスを提供する。加えて、マザーボード（図示せず）上に存在するグラフィックス処理ユニット（図示せず）もまた、スペクトル比較器システム５６０を実現するために使用することができる。
【００３４】
スペクトル比較器システム５６０は、ソースプログラム、実行可能プログラム（オブジェクトコード）、スクリプト、または実行される命令のセットを含む他の任意のエンティティである。ソースプログラムの場合、プログラムは、メモリ５２０内に含まれていてもいなくてもよいが、Ｏ／Ｓ５５０と関連して適切に動作するように、コンパイラ、アセンブラ、インタプリタなどを介して翻訳する必要がある。さらに、スペクトル比較器システム５６０は、（ａ）データおよび方法のクラスを有するオブジェクト指向プログラミング言語、あるいは（ｂ）たとえば、これに限定されないが、Ｃ、Ｃ＋＋、Ｐａｓｃａｌ、Ｂａｓｉｃ、Ｆｏｒｔｒａｎ、Ｃｏｂｏｌ、Ｐｅｒｌ、Ｊａｖａ(登録商標）、およびＡｄａなどの、ルーチン、サブルーチン、および／または機能を有する手続プログラミング言語として記述することができる。
【００３５】
Ｉ／Ｏデバイス５３０は、たとえば、これに限定されないが、キーボード、マウス、スキャナ、マイクロフォン、カメラ、赤外線撮像装置、またはカメラなどの入力デバイスを含むことができる。さらに、Ｉ／Ｏデバイス５３０は、たとえば、これに限定されないが、プリンタ、スピーカ、ディスプレイなどの出力デバイスを含むことができる。最後に、Ｉ／Ｏデバイス５３０は、たとえば、これに限定されないが、変調器／復調器（モデム；別のデバイス、システム、またはネットワークにアクセスするため）、無線周波数（ＲＦ）、Ｗｉ−Ｆｉ、Ｂｌｕｅｔｏｏｔｈ（登録商標）、または他のトランシーバ、電話インターフェース、ブリッジ、ルータなどの、入力および出力の両方と通信するデバイスをさらに含むことができる。
【００３６】
通知デバイス３５０がＰＣ、ワークステーション、スマートフォン、タブレットなどである場合には、メモリ５２０内のソフトウェアは、基本入出力システム（ＢＩＯＳ）をさらに含むことができる（簡単にするために省略）。ＢＩＯＳは、起動時にハードウェアを初期化しテストし、Ｏ／Ｓ（５５０）を起動し、ハードウェアデバイス間のデータの転送をサポートする必須のソフトウェアのセットである。ＢＩＯＳは、通知デバイス３５０が作動された場合に、ＢＩＯＳが実行されるように、ＲＯＭに記憶される。
【００３７】
通知デバイス３５０が作動している場合には、プロセッサ５１０は、メモリ５２０内に記憶されたソフトウェアを実行し、メモリ５２０との間でデータを通信し、ソフトウェアにしたがって通知デバイス３５０の動作を一般的に制御するように構成される。スペクトル比較器システム５６０およびＯ／Ｓ５５０は、全体としてまたは部分的に、通常は後者であるが、プロセッサ５１０によって読み出され、おそらくは、プロセッサ５１０内でバッファリングされ、その後実行される。
【００３８】
図５に示すように、スペクトル比較器システム５６０がソフトウェアで実現される場合には、スペクトル比較器システム５６０は、任意のコンピュータ関連システムもしくは方法によって、またはそれと併せて使用される任意のコンピュータ可読媒体に記憶することができることに留意されたい。本明細書の文脈では、コンピュータ可読媒体は、コンピュータ関連システムもしくは方法によって、またはそれと併せて使用されるコンピュータプログラムを格納または記憶することができる、電子的、磁気的、光学的、または他の物理的な装置もしくは手段である。スペクトル比較器システム５６０は、コンピュータベースのシステム、プロセッサを含むシステム、あるいは命令実行システム、装置、またはデバイスから命令をフェッチし、命令を実行することができる他のシステムなどの、命令実行システム、装置、もしくはデバイスによって、またはそれと併せて使用される任意のコンピュータ可読媒体で実現することができる。本明細書の文脈では、「コンピュータ可読媒体」は、命令実行システム、装置、もしくはデバイスによって、またはそれと併せて使用されるプログラムを記憶し、通信し、伝搬し、または輸送することができる任意の手段であってもよい。コンピュータ可読媒体は、たとえば、これに限定されないが、電子的、磁気的、光学的、電磁気的、赤外線、または半導体のシステム、装置、デバイス、または伝搬媒体であってもよい。コンピュータ可読媒体のより具体的な例（非網羅的なリスト）として以下のものが挙げられる。すなわち、１つもしくは複数のワイヤを有する電気的接続（電子的）、携帯用コンピュータディスケット（磁気的）、ランダムアクセスメモリ（ＲＡＭ）（電子的）、読み出し専用メモリ（ＲＯＭ）（電子的）、消去可能なプログラム可能読み出し専用メモリ（ＥＰＲＯＭ、ＥＥＰＲＯＭ、もしくはフラッシュメモリ）（電子的）、光ファイバ（光学的）、携帯型コンパクトディスク読み取り専用メモリ（ＣＤＲＯＭ）（光学的）である。なお、プログラムは、たとえば紙または他の媒体の光学的走査によって電子的に取り込まれ、次いでコンパイルされ、解釈され、あるいは、必要であれば適切な方法で処理されて、コンピュータメモリに記憶することが可能であるから、コンピュータ可読媒体は、プログラムが印字された紙または別の適切な媒体であってもよい。
【００３９】
スペクトル比較器システム５６０がハードウェアで実現される代替的な実施形態では、スペクトル比較器システム５６０は、当該技術分野で周知である以下の技術のいずれかまたは組み合わせを用いて実現される。すなわち、グラフィック処理装置、ビデオカード、データ信号に対して論理機能を実現する論理ゲートを有するディスクリート論理回路、適切な組み合わせ論理ゲートを有する特定用途向け集積回路（ＡＳＩＣ）、プログラマブルゲートアレイ（ＰＧＡ）、フィールドプログラマブルゲートアレイ（ＦＰＧＡ）などである。
【００４０】
図６は、本発明の一態様による、バンドパスフィルタホルダ６００の端面図である。フィルタホルダ６００は、複数のバンドパスフィルタ６１０、６２０、６３０、６４０を保持するように構成された本体６０１を含む。各バンドパスフィルタは、異なるスペクトル応答を有することができる。たとえば、バンドパスフィルタ６１０は約１，０５２ｃｍ-1（９．５μｍ）〜約１，２５０ｃｍ-1（８μｍ）のスペクトル応答を有することができ、バンドパスフィルタ６２０は約１，１４９ｃｍ-1（８．７μｍ）〜約１，２１９ｃｍ-1（８．２μｍ）のスペクトル応答を有することができ、両方ともバイトン（登録商標）製部品を検出するために選択されている。さらに、バンドパスフィルタ６３０は約１，３３３ｃｍ-1（７．５μｍ）〜約１，５３８ｃｍ-1（６．５μｍ）のスペクトル応答を有することができ、バンドパスフィルタ６４０は約１，３７５ｃｍ-1（７．３μｍ）〜約１，４７５ｃｍ-1（６．８μｍ）のスペクトル応答を有することができ、両方ともＧ−１１型シールプレートを検出するために選択することができる。ホルダ６００（またはカルーセル）は、本体を回転させることができて、各フィルタを必要に応じて光路内に挿入できるように、携帯型赤外線分光計３００に装着される。各フィルタ６１０、６２０、６３０、６４０はまた、スキャナ３００が特定のバンドパスフィルタ範囲を識別し、検査対象部品の種類を表示することを可能にする、読み取り可能な識別標識６２２を含むことができる。たとえば、標識６２２は、フィルタ６２０の主要な視野の外側に配置され、バーコードまたは他の記号または文字で構成することができる。スキャナ３００は、（光路に挿入されたときに）標識６２２を読み取り、対象材料の種類（たとえば、バイトン（登録商標））を表示する。ここで説明する図６の実施例では、２つのフィルタ６１０、６２０はバイトン（登録商標）を対象とし、他の２つのフィルタ６３０、６４０はＧ−１１を対象とする。しかし、フィルタはそれぞれ異なる材料を検出するように構成することができ、また、４つより少ない、あるいは４つより多くのフィルタを適切に構成されたホルダと共に使用することができる。
【００４１】
発電機１８を使用した実施例について説明したが、任意の適切な機械を本発明のシステムおよび方法で使用することができる。機械は、発電機、加圧発電機、水素冷却式発電機、空冷式発電機、タービン、蒸気タービン、ガスタービン、モータ、または圧縮機であってもよい。
【００４２】
用語の定義がその用語の一般的に用いられる意味から外れる場合には、特に指示しない限り、出願人は以下で提供する定義を用いることとする。本明細書で用いる用語は、特定の実施形態を説明することだけを目的とし、本発明を限定することを目的とするものではない。たとえば、上記の実施形態（および／またはその態様）は、互いに組み合わせて用いることができる。さらに、本発明の範囲を逸脱せずに特定の状況または材料を本発明の教示に適応させるために、多くの修正を行うことができる。たとえば、方法で詳述したステップの順序は、明示されるかまたは暗黙に要求される（たとえば、１つのステップが以前のステップの結果または生成物を利用する必要がある）場合でない限り、特定の順序で実行される必要はない。用語の定義がその用語の一般的に用いられる意味から外れる場合には、特に指示しない限り、出願人はここで提供する定義を用いることとする。文脈で別途明確に指示しない限り、単数形「１つの（ａ）」、「１つの（ａｎ）」および「前記（ｔｈｅ）」は複数形も含むものとする。第１の、第２の等の用語は様々な要素を説明するために用いることができるが、これらの要素がこれらの用語によって限定されてはならないことが理解されよう。これらの用語は、単に１つの要素と別の要素を区別するために用いるにすぎない。および／または」という用語は、関連する列挙された項目のいずれか、それらのすべて、およびそれらの１つもしくは複数の組み合わせを含む。
【００４３】
この明細書は、本発明を開示するために実施例を用いており、最良の形態を含んでいる。また、いかなる当業者も本発明を実施することができるように実施例を用いており、任意のデバイスまたはシステムを製作し使用し、任意の組み込まれた方法を実行することを含んでいる。本発明の特許され得る範囲は、特許請求の範囲によって定義され、当業者が想到する他の実施例を含むことができる。このような他の実施例が特許請求の範囲の文字通りの言葉と異ならない構造要素を有する場合、または、それらが等価な構造要素を含む場合には、このような他の実施例は特許請求の範囲内であることを意図している。
【符号の説明】
【００４４】
１０  ガスタービン
１２  圧縮機
１４  タービン部
１６  シャフト
１８  発電機
１９  集電体
２０  バイトン（登録商標）スペクトル
２２  ゴムスペクトル
３０  機械部品
３００  システム、赤外線分光計、スキャナ
３０１  本体
３１０  赤外線トランシーバ／検出器
３２０  バンドパスフィルタ
３３０  ミラー
３４０  結晶プローブ
３５０  通知デバイス
３５１  ディスプレイ
３５２  スピーカ
４００  方法
４１０  走査するステップ
４２０  フィルタリングするステップ
４３０  比較するステップ
４４０  出力するステップ
５１０  プロセッサ
５２０  メモリ
５３０  入力および／または出力（Ｉ／Ｏ）デバイス
５４０  ローカルインターフェース
５５０  オペレーティングシステム（Ｏ／Ｓ）
５６０  スペクトル比較器システム
６００  バンドパスフィルタホルダ
６０１  本体
６１０  バンドパスフィルタ
６２０  バンドパスフィルタ
６２２  標識
６３０  バンドパスフィルタ
６４０  バンドパスフィルタ
７００  シール組立体
７１０  外側Ｏリング
７１２  内側Ｏリング
７２０  シールプレート／ガスケット
７３０  導管
【図１】
2016128808.tif 000003
【図２】
2016128808.tif 000004
【図３】
2016128808.tif 000005
【図４】
2016128808.tif 000006
【図５】
2016128808.tif 000007
【図６】
2016128808.tif 000008
【図７】
2016128808.tif 000009
【外国語明細書】
2016128808000001.pdf